(57)【要約】【課題】本発明は、電球の交換を容易にしてリサイクルしやすくする電球の交換方法を提供することを目的とするものである。【解決手段】本発明は、電球を交換する照明灯を回収する照明灯回収工程と、照明灯回収工程で回収した照明灯の電球の位置に印を付ける電球位置マーキング工程と、電球位置マーキング工程の後に電球をソケットから取り外す電球取外し工程と、電球取外し工程で取り外した電球と交換電球のギャップの位置をレーザー発振器からレーザー光線を照射することにより合わせる焦点位置確定工程と、焦点位置確定工程により焦点が確定した交換電球に印を付ける交換電球位置マーキング工程と、交換電球位置マーキング工程で付けた印を基に交換電球をソケットに取り付ける交換電球取付け工程とからなることを特徴とする電球の交換方法の構成とした。【選択図】図１
2007220368.tif 000002
【特許請求の範囲】
【請求項１】
電球を交換する照明灯を回収する照明灯回収工程と、前記照明灯回収工程で回収した照明灯の電球の位置に印を付ける電球位置マーキング工程と、前記電球位置マーキング工程の後に電球をソケットから取り外す電球取外し工程と、前記電球取外し工程で取り外した電球と交換電球のギャップの位置をレーザー発振器からレーザー光線を照射することにより合わせる焦点位置確定工程と、前記焦点位置確定工程により焦点が確定した交換電球に印を付ける交換電球位置マーキング工程と、前記交換電球位置マーキング工程で付けた印を基に交換電球をソケットに取り付ける交換電球取付け工程とからなることを特徴とする電球の交換方法。
【請求項２】
電球及び交換電球に照射するレーザー光線を発生させるレーザー発振器と、前記レーザー発振器を保持する発光筐体と、前記発光筐体の側面において電球を水平に通し、固定ネジで電球の位置を調整できる電球設置部と、前記発光筐体の側面において交換電球を水平に通し、固定ネジで交換電球の位置を調整できる交換電球設置部と、前記発光筐体の土台に敷いた光線受けと、前記発光筐体の内部において、電球と交換電球に対して左右移動可能に通し、電球のマーキングの位置に合わせて交換電球にマーキングするための位置合わせ板とからなることを特徴とする電球の交換装置。
【発明の詳細な説明】
【技術分野】
【０００１】
本発明は、電球の交換を容易にしてリサイクルしやすくする電球の交換方法に関するものである。
【背景技術】
【０００２】
プロジェクター等に使用される照明灯は、電球と反射鏡により発光させているが、反射鏡の焦点の位置は、プロジェクターのサイズや形状に合わせて設計されるため、それぞれ異なっており、手作業で電球を焦点位置に合わせるのは困難である。
【０００３】
特許文献１に記載されているように、煩雑な製造工程を必要とせずに高い安全性を有し、かつ優れた耐久性を有する反射式照明灯という発明も公開されている。
【特許文献１】特開平０９−２５９６２２号公報
【発明の開示】
【発明が解決しようとする課題】
【０００４】
しかしながら、従来の照明灯は、電球の交換が容易でないため、電球又は反射鏡のいずれかの一方の寿命が来たときに、両方とも廃棄されてしまう。尚、電球の寿命は約３０００時間で、反射鏡の寿命は１００００時間以上である。
【０００５】
そこで、本発明は、電球の交換を容易にしてリサイクルしやすくする電球の交換方法を提供することを目的とするものである。
【課題を解決するための手段】
【０００６】
本発明は、上記の課題を解決するために、電球を交換する照明灯を回収する照明灯回収工程と、照明灯回収工程で回収した照明灯の電球の位置に印を付ける電球位置マーキング工程と、電球位置マーキング工程の後に電球をソケットから取り外す電球取外し工程と、電球取外し工程で取り外した電球と交換電球のギャップの位置をレーザー発振器からレーザー光線を照射することにより合わせる焦点位置確定工程と、焦点位置確定工程により焦点が確定した交換電球に印を付ける交換電球位置マーキング工程と、交換電球位置マーキング工程で付けた印を基に交換電球をソケットに取り付ける交換電球取付け工程とからなることを特徴とする電球の交換方法の構成とした。
【発明の効果】
【０００７】
本発明は、反射鏡の焦点の位置に関係なく、簡単に電球を焦点の位置に合わせることができるので、電球の交換が容易となり、リサイクル化が促されるようになる。また、電球不良の場合でも、電球のみ交換すれば良いので、一式交換せずに済む。
【発明を実施するための最良の形態】
【０００８】
本発明は、電球の交換を容易にしてリサイクルしやすくするという目的を、電球を交換する照明灯を回収する照明灯回収工程と、照明灯回収工程で回収した照明灯の電球の位置に印を付ける電球位置マーキング工程と、電球位置マーキング工程の後に電球をソケットから取り外す電球取外し工程と、電球取外し工程で取り外した電球と交換電球のギャップの位置をレーザー発振器からレーザー光線を照射することにより合わせる焦点位置確定工程と、焦点位置確定工程により焦点が確定した交換電球に印を付ける交換電球位置マーキング工程と、交換電球位置マーキング工程で付けた印を基に交換電球をソケットに取り付ける交換電球取付け工程とからなることを特徴とする電球の交換方法により実現した。
【実施例１】
【０００９】
以下に、添付図面に基づいて、本発明である電球の交換方法について詳細に説明する。図１は、本発明である電球の交換方法の流れを示すフローチャートである。
【００１０】
電球の交換方法１は、電球を交換する照明灯を回収する照明灯回収工程２と、照明灯回収工程２で回収した照明灯の電球の位置に印を付ける電球位置マーキング工程３と、電球位置マーキング工程３の後に電球をソケットから取り外す電球取外し工程４と、電球取外し工程４で取り外した電球と交換電球のギャップの位置をレーザー発振器からレーザー光線を照射することにより合わせる焦点位置確定工程５と、焦点位置確定工程５により焦点が確定した交換電球に印を付ける交換電球位置マーキング工程６と、交換電球位置マーキング工程６で付けた印を基に交換電球をソケットに取り付ける交換電球取付け工程７とからなることを特徴とする。
【００１１】
照明灯回収工程２は、電球９のみ寿命の切れた照明灯８など交換対象の照明灯８を回収する。尚、照明灯８は、製造時に反射鏡１０ａの焦点９ａと電球９の発光点とが一致するように調整されているので、回収時も既に調整済みである。
【００１２】
電球位置マーキング工程３は、回収した照明灯８の電球９に目印を付ける。目印の位置は、ソケット１０の後端など分かりやすい場所にする。目印により、焦点９ａの位置が間接的に把握できるようになる。
【００１３】
電球取外し工程４は、電球９の固着を解除し、電球９をソケット１０から取り外す。尚、古い電球９を新しいものに換えるため、交換電球１６を用意するが、電球９と同一のものでなくても構わない。
【００１４】
焦点位置確定工程５は、取り外した電球９と交換電球１６のギャップ９ｈの位置をレーザー発振器１５からレーザー光線１５ａを照射することにより一致させる。尚、ギャップ９ｈは発光点であり、焦点９ａと一致させる箇所である。
【００１５】
交換電球位置マーキング工程６は、電球９とギャップ９ｈの位置を合わせることにより焦点９ａの位置が確定した交換電球１６に対し、電球９に付けた目印と同じ位置に、同様の目印を付ける。
【００１６】
交換電球取付け工程７は、目印を基にして交換電球１６をソケット１０に取り付ける。電球９と交換電球１６とは、目印と発光点の位置関係が同一であるので、発光点と焦点９ａが簡単に合わせられる。
【００１７】
図２は、本発明である電球の交換方法の照明灯回収工程で回収する照明灯の斜視図であり、図３は、本発明である電球の交換方法の照明灯回収工程で回収する照明灯の正面図であり、図４は、本発明である電球の交換方法の照明灯回収工程で回収する照明灯の平面図である。
【００１８】
また、図５は、本発明である電球の交換方法の照明灯回収工程で回収する照明灯の側面図であり、図６は、本発明である電球の交換方法の照明灯回収工程で回収する照明灯の側面断面図である。
【００１９】
照明灯８は、内側に反射鏡１０ａを有するソケット１０に、電球９を取り付けたもので、電球９の発光と反射鏡１０ａの反射光により照度を上げている。尚、必要に応じて、ソケット１０の前面を蓋１１で閉じることもできる。
【００２０】
電球９は、電流を流すことにより電極間で放電が生じて発光する光源であり、球状や円柱状など様々な形状のものを利用できる。電球９のみであると光が分散するので、反射鏡１０ａを用いて光を集めると、消費電力の面でも効率が良い。
【００２１】
焦点９ａは、ソケット１０の内側の反射鏡１０ａが反射した光が一点に集まる場所であり、電球９の発光点と反射鏡１０ａの焦点９ａを合わせることにより、明るさを向上させることができる。
【００２２】
ソケット１０は、電球９を支える枠体であり、内面には光を反射する反射鏡１０ａを有する。外形は丸みのある略円錐状又は略四角錘状であり、前部の縁部１０ｂが拡がっていて、後部の固着部１０ｅが狭くなる。また、側面には網部１０ｃも有する。
【００２３】
反射鏡１０ａは、ソケット１０の内周面に存在する鏡状の部材で、反射した光が一点に集まるように取り付けられる。尚、反射光が集まる焦点９ａの位置は、ソケット１０の種類により異なり様々である。
【００２４】
縁部１０ｂは、ソケット１０の前部に拡がった端の部分であり、図面に示した例では、四叉になっていて間に網部１０ｃを設けている。また、ソケット１０に蓋１１を取り付けた際には、蓋１１を固定する。
【００２５】
網部１０ｃは、電球９の発光に伴う発熱によりソケット１０内の温度が上昇するので、高温になったソケット１０の内部から放熱するために、ソケット１０の周上に部分的に設けた網状の通気材である。
【００２６】
固着部１０ｅは、ソケット１０の後部の狭くなった部分であり、電球９を取り付けて固定する場所である。尚、電球９とソケット１０とは、仮止めの状態で焦点９ａを合わせた後、セメント等を使用して固着する。
【００２７】
蓋１１は、熱に強い透明な板であり、ソケット１０内部の電球９を保護するため、又は高温の電球９に手などが触れないようにするために、ソケット１０の全面の空いた部分を塞ぐものである。
【００２８】
針金１２は、電球９の先端９ｂに取り付けられた金属線であり、ソケット１０の側面に空けた孔１０ｄから外部に延びて、金具１２ａに巻き付けて固定する。尚、金具１２ａと電球のネジ部９ｅが、外部装置から電流を供給する端子となる。
【００２９】
留具１３は、電球９とソケット１０を仮止めするために、電球９のネジ部９ｅに取り付けるネジ状の部材である。留具１３を締めたり緩めたりすることにより、電球９の位置を微調整することができる。
【００３０】
図７は、本発明である電球の交換方法の電球位置マーキング工程を示す図である。電球９の発光点と反射鏡１０ａの焦点９ａが一致した状態で、電球９に対し、ソケット１０の特定箇所に対応する位置を目印としてマーキング１４を付す。
【００３１】
図７に示す例では、ソケット１０の後端の位置において、電球９にマーキング１４を付している。電球９にマーキング１４を付けることにより、取付焦点距離１４ａを確定することができる。
【００３２】
尚、取付焦点距離１４ａは、焦点９ａの位置とマーキング１４の位置との間の距離のことである。マーキング１４の位置から取付焦点距離１４ａを基に、焦点９ａの位置を把握できるようになる。
【００３３】
図８は、本発明である電球の交換方法の電球取外し工程で取り外した電球を示す図である。電球９は、先端９ｂ、ガラス管９ｃ、球状部９ｄ、ネジ部９ｅ、電極９ｆ、電極９ｇ及びギャップ９ｈ等からなる。
【００３４】
先端９ｂは、電球９の前端の部分であり、針金１２の一端が接続される。尚、針金１２の他端を固定している金具１２ａに、外部から電線等を繋いで、電極９ｇを導通させることができる。
【００３５】
ガラス管９ｃは、略円柱状のガラス等で出来た電球９の本体であり、中央に球状部９ｄを有する。内部は中空であり、両端から球状部９ｄにかけて、電極９ｆ及び電極９ｇが配置される。
【００３６】
球状部９ｄは、アーク放電を起こさせるために、ガラス管９ｃの一部を略球状に成形したものである。尚、アーク放電は、気体中で起こる放電の１つであり、弧状の強い光と高熱を発する。
【００３７】
ネジ部９ｅは、電球９の後端のネジ状の部分であり、留具１３で締めることにより電球９をソケット１０に固定する。また、外部から電線等を繋いで、電極９ｆを導通させることができる。
【００３８】
電極９ｆは、電球９の後端からガラス管９ｃの内部を球状部９ｄまで延びる電線の端であり、電極９ｇは、電球９の先端９ｂからガラス管９ｃの内部を球状部９ｄまで延びる電線の端である。
【００３９】
ギャップ９ｈは、電極９ｆと電極９ｇとの間の隙間であり、電球９は、電極間にアーク放電を起こすことにより発光する。尚、ギャップ９ｈのサイズは、通常１．０〜１．３ミリメートルである。
【００４０】
図９は、本発明である電球の交換方法の焦点位置確定工程及び交換電球位置マーキング工程を示す図である。交換電球１６又は交換電球１７の取付けを容易にするために行う手順である。
【００４１】
焦点位置確定工程５及び交換電球位置マーキング工程６では、レーザー発振器１５を利用して、電球９のギャップ９ｈの位置と、交換電球１６のギャップ１６ａ又は交換電球１７のギャップ１７ａの位置とを合わせる。
【００４２】
レーザー発振器１５は、指向性や収束性に優れたレーザー光線１５ａを発生させる装置である。尚、レーザー光線１５ａの照射により熱が生じるので、光線受け１５ｂにおいて発熱を抑える。
【００４３】
レーザー光線１５ａは、光や電磁波を増幅させて生成した減衰及び拡散しにくい強い光であり、電球９及び交換電球１６又は交換電球１７に照射する。尚、レーザー光線１５ａの幅は、０．７〜１．０ミリメートルが好ましい。
【００４４】
電球９及び交換電球１６に対してレーザー光線１５ａを照射し、電球９については、レーザー光線１５ａが通過するギャップ９ｈの位置で固定し、交換電球１６については、レーザー光線１５ａが通過するギャップ１６ａの位置で固定する。
【００４５】
交換電球１６に対し、電球９に付されたマーキング１４と同じ位置に、マーキング１６ｂを付ける。電球９におけるギャップ９ｈとマーキング１４の間の取付焦点距離１４ａは、交換電球１６についても同一となる。
【００４６】
即ち、電球９のマーキング１４とソケット１０の位置関係と同じになるように、交換電球１６のマーキング１６ｂの位置を合わせて、ソケット１０に取り付ければ、反射鏡１０ａの焦点９ａと交換電球１６の発光点を一致させることができる。
【００４７】
交換電球１７についても同様であり、ガラス管９ｃの長さや直径、又は球状部９ｄの形状などに関係なく、ギャップ１７ａの位置を合わせ、マーキング１７ｂを行うことにより、交換電球１７の取付位置を確定することができる。
【００４８】
尚、図９においては、電球９、交換電球１６及び交換電球１７を並べて記載しているが、焦点位置確定工程５は、電球９と交換電球１６、又は電球９と交換電球１７のように１対１で行う。
【実施例２】
【００４９】
図１０は、本発明である電球の交換方法の焦点位置確定工程及び交換電球位置マーキング工程で使用する装置を示す図である。
【００５０】
電球の交換装置１ａは、電球９及び交換電球１６に照射するレーザー光線１５ａを発生させるレーザー発振器１５と、前記レーザー発振器１５を保持する発光筐体１５ｃと、前記発光筐体１５ｃの側面において電球９を水平に通し、固定ネジ１５ｇで電球９の位置を調整できる電球設置部１５ｆと、前記発光筐体１５ｃの側面において交換電球１６を水平に通し、固定ネジ１５ｉで交換電球１６の位置を調整できる交換電球設置部１５ｈと、前記発光筐体１５ｃの土台１５ｄに敷いた光線受け１５ｂと、前記発光筐体１５ｃの内部において、電球９と交換電球１６に対して左右移動可能に通し、電球９のマーキング１４の位置に合わせて交換電球１６にマーキング１６ｂするための位置合わせ板１５ｅとからなることを特徴とする。
【００５１】
尚、レーザー発振器１５は、図９と同じものであり、発振子においてレーザー光線１５ａを発生させ照射する。また、電球９は、ソケット１０から取り外した古い方であり、交換電球１６は、ソケット１０に取り付ける新しい方である。
【００５２】
発光筐体１５ｃは、レーザー発振器１５及びその電源等を収める箱状の枠体であり、上部にレーザー発振器１５を設置する。側面には電球設置部１５ｆ及び交換電球設置部１５ｈを有し、底部の土台１５ｄには光線受け１５ｂを有する。
【００５３】
電球設置部１５ｆは、発光筐体１５ｃの側面において電球９を水平に通す部分である。電球９に照射したレーザー光線１５ａがギャップ９ｈを通過するように、電球９の位置を左右に調整し、合わせた位置を固定ネジ１５ｇで留める。
【００５４】
交換電球設置部１５ｈは、発光筐体１５ｃの側面において交換電球１６を水平に通す部分である。交換電球１６に照射したレーザー光線１５ａがギャップ１６ａを通過するように、交換電球１６の位置を左右に調整し、合わせた位置を固定ネジ１５ｉで留める。
【００５５】
土台１５ｄは、発光筐体１５ｃの底部である。レーザー光線１５ａが当たる場所の発熱を抑えるために、砂状の光線受け１５ｂを敷き、受けたレーザー光線１５ａを消し去ることができる。
【００５６】
尚、レーザー発振器１５を外部に設け、発光筐体１５ｃ内にレーザー光線１５ａを送るようにすることもできる。また、レーザー発振器１５を発光筐体１５ｃの下部に設置し、上部に光線受け１５ｂを配置しても良い。
【００５７】
位置合わせ板１５ｅは、穴を２つ空けた板である。発光筐体１５ｃの内部において、垂直に立てて、２つの穴に電球９と交換電球１６に通し、左右にスライド移動させることができる。
【００５８】
まず、位置合わせ板１５ｅをスライドさせて、電球９に付されたマーキング１４の位置に合わせる。次に、固定した位置合わせ板１５ｅの位置において、交換電球１６にマーキング１６ｂを付す。
【００５９】
尚、位置合わせ板１５ｅの位置を合わせた際、位置合わせ板１５ｅが動かないように、発光筐体１５ｃの上部又は土台１５ｄに固定する保持機能を設ける。マーキング１４の位置に、正確かつ容易に移動させることができる。
【００６０】
位置合わせ板１５ｅを使用することにより、電球９のギャップ９ｈと交換電球１６のギャップ１６ａの位置が合っているので、電球９と取付焦点距離１４ａが一致する位置に、容易に交換電球１６にマーキング１６ｂすることができる。
【００６１】
以上のように、本発明である電球の交換方法１は、反射鏡の焦点の位置に関係なく、簡単に電球を焦点の位置に合わせることができるので、電球の交換が容易となり、リサイクル化が促されるようになる。
【図面の簡単な説明】
【００６２】
【図１】本発明である電球の交換方法の流れを示すフローチャートである。
【図２】本発明である電球の交換方法の照明灯回収工程で回収する照明灯の斜視図である。
【図３】本発明である電球の交換方法の照明灯回収工程で回収する照明灯の正面図である。
【図４】本発明である電球の交換方法の照明灯回収工程で回収する照明灯の平面図である。
【図５】本発明である電球の交換方法の照明灯回収工程で回収する照明灯の側面図である。
【図６】本発明である電球の交換方法の照明灯回収工程で回収する照明灯の側面断面図である。
【図７】本発明である電球の交換方法の電球位置マーキング工程を示す図である。
【図８】本発明である電球の交換方法の電球取外し工程で取り外した電球を示す図である。
【図９】本発明である電球の交換方法の焦点位置確定工程及び交換電球位置マーキング工程を示す図である。
【図１０】本発明である電球の交換方法の焦点位置確定工程及び交換電球位置マーキング工程で使用する装置を示す図である。
【符号の説明】
【００６３】
１        電球の交換方法
１ａ      電球の交換装置
２        照明灯回収工程
３        電球位置マーキング工程
４        電球取外し工程
５        焦点位置確定工程
６        交換電球位置マーキング工程
７        交換電球取付け工程
８        照明灯
９        電球
９ａ      焦点
９ｂ      先端
９ｃ      ガラス管
９ｄ      球状部
９ｅ      ネジ部
９ｆ      電極
９ｇ      電極
９ｈ      ギャップ
１０        ソケット
１０ａ      反射鏡
１０ｂ      縁部
１０ｃ      網部
１０ｄ      孔
１０ｅ      固着部
１１        蓋
１２        針金
１２ａ      金具
１３        留具
１４        マーキング
１４ａ      取付焦点距離
１５        レーザー発振器
１５ａ      レーザー光線
１５ｂ      光線受け
１５ｃ      発光筐体
１５ｄ      土台
１５ｅ      位置合わせ板
１５ｆ      電球設置部
１５ｇ      固定ネジ
１５ｈ      交換電球設置部
１５ｉ      固定ネジ
１６        交換電球
１６ａ      ギャップ
１６ｂ      マーキング
１７        交換電球
１７ａ      ギャップ
１７ｂ      マーキング
【図１】
2007220368.tif 000003
【図２】
2007220368.tif 000004
【図３】
2007220368.tif 000005
【図４】
2007220368.tif 000006
【図５】
2007220368.tif 000007
【図６】
2007220368.tif 000008
【図７】
2007220368.tif 000009
【図８】
2007220368.tif 000010
【図９】
2007220368.tif 000011
【図１０】
2007220368.tif 000012